(57)【要約】【課題】屋外で安定的に使用することができる屋外用ＡＥＤ装置を提供する。【解決手段】屋外で設置して使用する屋外用ＡＥＤ装置１０であって、ＡＥＤ本体１２と、ＡＥＤ本体１２に対して電力を供給可能な電源部１４と、所定の情報を表示する表示部１６と、を有し、電源部１４は、太陽の光エネルギを電気エネルギに変換して蓄電可能な蓄電部３０である。【選択図】      図１
2015123337.tif 000002
【特許請求の範囲】
【請求項１】
屋外で設置して使用する屋外用ＡＥＤ装置であって、
ＡＥＤ本体と、
前記ＡＥＤ本体に対して電力を供給可能な電源部と、
所定の情報を表示する表示部と、
を有し、
前記電源部は、太陽の光エネルギを電気エネルギに変換して蓄電可能な蓄電部であることを特徴とする屋外用ＡＥＤ装置。
【請求項２】
前記蓄電部は、太陽光を受光するパネル部と、前記パネル部で受光した光エネルギを電気エネルギとして蓄電可能な蓄電池と、で構成されていることを特徴とする請求項１に記載の屋外用ＡＥＤ装置。
【請求項３】
前記ＡＥＤ本体を収容する箱体を有し、
前記箱体は、外壁と、内壁と、前記外壁と前記内壁との間に区画形成される外側空間部と、前記内壁の内側に区画形成される内側空間部と、を有し、
前記ＡＥＤ本体は、前記内側空間部に収容されていることを特徴とする請求項２に記載の屋外用ＡＥＤ装置。
【請求項４】
前記内壁に、前記内側空間部の空気を前記外壁から排気させるための排気部を備えたことを特徴とする請求項３に記載の屋外用ＡＥＤ装置。
【請求項５】
前記内壁の内側空間部側に、発熱部を備えたことを特徴とする請求項３又４に記載の屋外用ＡＥＤ装置。
【請求項６】
前記外壁の前記外側空間部側に、断熱部を備えたことを特徴とする請求項３乃至５のいずれか１項に記載の屋外用ＡＥＤ装置。
【請求項７】
前記表示部に、スポンサー企業に関する情報、自然災害情報、交通情報あるいは国内外のニュース情報を表示することを特徴とする請求項１乃至６のいずれか１項に記載の屋外用ＡＥＤ装置。
【発明の詳細な説明】
【技術分野】
【０００１】
本発明は、主として、屋外に設置する屋外用ＡＥＤ装置に関する。
【背景技術】
【０００２】
従来から自動体外除細動器装置（以下、適宜「ＡＥＤ装置」と称する）が屋内に設置されていた。
【０００３】
これは、ＡＥＤ装置を屋外に設置した場合には、電源の安定した供給が必要であること、風雨などの自然現象からＡＥＤ装置を保護するための保護機構が必要であること、高温状態にＡＥＤ装置が耐え得る設計及び低温状態にＡＥＤ装置が耐え得る設計等が必要であること、など様々な課題を克服しなければならないからである。
【先行技術文献】
【特許文献】
【０００４】
【特許文献１】特開２０１２−５６６１号公報
【発明の概要】
【発明が解決しようとする課題】
【０００５】
ところで、ＡＥＤ装置は、体調不良等の緊急時において屋外で必要になることがあり、社会的なニーズが高いものである。
【０００６】
そこで、本発明は、上記問題に鑑み、屋外で安定的に使用することができる屋外用ＡＥＤ装置を提供することを目的とする。
【課題を解決するための手段】
【０００７】
本発明は、屋外で設置して使用する屋外用ＡＥＤ装置であって、ＡＥＤ本体と、前記ＡＥＤ本体に対して電力を供給可能な電源部と、所定の情報を表示する表示部と、を有し、前記電源部は、太陽の光エネルギを電気エネルギに変換して蓄電可能な蓄電部であることを特徴とする。
【０００８】
これによれば、電源部が太陽の光エネルギを電気エネルギに変換して蓄電可能な蓄電部であることにより、自然現象を利用して電力を確保することが可能になる。これにより、屋外の電力設備がなくても、屋外用ＡＥＤ装置を安定的に使用することができる。
【０００９】
この場合、前記蓄電部は、太陽光を受光するパネル部と、前記パネル部で受光した光エネルギを電気エネルギとして蓄電可能な蓄電池と、で構成されていることが好ましい。
【００１０】
これによれば、簡易な構成により、太陽の光エネルギを利用して容易に蓄電することができる。
【００１１】
この場合、前記ＡＥＤ本体を収容する箱体を有し、前記箱体は、外壁と、内壁と、前記外壁と前記内壁との間に区画形成される外側空間部と、前記内壁の内側に区画形成される内側空間部と、を有し、前記ＡＥＤ本体は、前記内側空間部に収容されていることが好ましい。
【００１２】
これによれば、箱体がいわゆる２重構造になっているため、屋外の自然現象（風雨等）を受けた場合でも、ＡＥＤ本体を保護することができる。
【００１３】
この場合、前記内壁に、前記内側空間部の空気を前記外壁から排気させるための排気部を備えたことが好ましい。
【００１４】
これによれば、内壁に備えた排気部により、内側空間部の空気を外壁から排気させることができる。これにより、内側空間部の熱を外部へ放熱することができる。特に、排気部の駆動により外側空間部に自然対流が発生して放熱作用を促進させる。この結果、放熱効果を向上でき、ＡＥＤ本体が熱により作動しないことを防止できる。
【００１５】
この場合、前記内壁の内側空間部側に、発熱部を備えたことが好ましい。
【００１６】
これによれば、内壁の内側空間部側に発熱部を備えたことにより、ＡＥＤ本体を保温することができる。これにより、ＡＥＤ本体が低温により作動しないことを防止できる。
【００１７】
この場合、前記外壁の前記外側空間部側に、断熱部を備えたことが好ましい。
【００１８】
これによれば、前記外壁の前記外側空間部側に断熱部を備えたことにより、その断熱効果により、箱体内部の温度を安定させることができる。
【００１９】
この場合、前記表示部に、スポンサー企業に関する情報、自然災害情報、交通情報あるいは国内外のニュース情報を表示することが好ましい。
【００２０】
これによれば、表示部にスポンサー企業に関する情報、自然災害情報、交通情報あるいは国内外のニュース情報を表示することにより、これらの情報を屋外で広く周知させることができる。
【発明の効果】
【００２１】
本発明によれば、屋外用ＡＥＤ装置を屋外で安定的に使用することができる。
【図面の簡単な説明】
【００２２】
【図１】本発明の第１実施形態に係る屋外用ＡＥＤ装置の構成図である。
【図２】本発明の第１実施形態に係る屋外用ＡＥＤ装置の主要部を示した構成図である。
【図３】本発明の第１実施形態に係る屋外用ＡＥＤ装置の制御系を示したブロック図である。
【図４】本発明の第２実施形態に係る屋外用ＡＥＤ装置の構成図である。
【図５】本発明の第３実施形態に係る屋外用ＡＥＤ装置の構成図である。
【図６】本発明の第３実施形態に係る屋外用ＡＥＤ装置の制御系を示したブロック図である。
【図７】本発明の第１実施形態に係る屋外用ＡＥＤ装置の第１変形例の制御系を示したブロック図である。
【図８】本発明の第１実施形態に係る屋外用ＡＥＤ装置の第２変形例の制御系を示したブロック図である。
【発明を実施するための形態】
【００２３】
本発明の第１実施形態に係る屋外用ＡＥＤ装置について、図面を参照して説明する。なお、本実施形態の「ＡＥＤ装置」は、自動体外除細動器装置を意味する。
【００２４】
図１及び図２に示すように、屋外用ＡＥＤ装置１０は、ＡＥＤ本体１２と、電源部１４と、表示部１６と、防犯灯１８と、スピーカ２０と、支持台２２と、ポール部材２４と、を含んでいる。
【００２５】
ＡＥＤ本体１２は、ＡＥＤ２６と、コントローラ２８と、を有している。
【００２６】
ＡＥＤ２６は、自動体外式除細動器を示す略称であり、心室細動の際に機器が自動的に解析を行い、必要に応じて電気的なショック（除細動）を与え、心臓の働きを戻すことを試みる医療機器である。
【００２７】
ＡＥＤ２６の駆動電力には、例えば、後述の蓄電池３０Ａに蓄えられた電力が利用される。
【００２８】
コントローラ２８は、装置全体の統括制御を司る制御部である。コントローラ２８は、装置の各部に対して制御信号を出力し、制御する。
【００２９】
なお、コントローラ２８の駆動電力には、例えば、蓄電池３０Ａに蓄えられた電力が利用される。
【００３０】
図３に示すように、コントローラ２８は、例えば、ＣＰＵ２８Ａと、ＲＯＭ２８Ｂと、ＲＡＭ２８Ｃと、を有している。
【００３１】
ＲＯＭ２８Ｂには、装置全体の動作を実行するためのプログラム、表示部１６での表示内容に関するコンテンツ等が記憶されている。
【００３２】
表示部１６での表示内容には、例えば、スポンサー企業に関する情報、自然災害情報、交通情報、国内外のニュース情報・スポーツ情報などが含まれる。
【００３３】
電源部１４は、電力を蓄えることが可能な蓄電部３０が好ましい。蓄電部３０として、例えば、蓄電池３０Ａと、太陽光発電パネル３０Ｂと、蓄電池３０Ａが採用される。蓄電池３０Ａには、太陽光発電パネル３０Ｂで受光した太陽の光エネルギから変換した電気エネルギが蓄電される。これにより、太陽の光エネルギを電力に変換して蓄電池に蓄えることができる。これらの技術については、周知の太陽光発電の技術を利用することができる。
【００３４】
ここで、ＡＥＤ本体１２及び電源部１４は、箱体３２の内部に収容されている。詳細には、箱体３２は、外壁３４と、内壁３６と、外壁３４と内壁３６との間に区画形成される外側空間部３８と、内壁の内側に区画形成される内側空間部４０と、を有している。このため、箱体３２は、いわゆる２重構造となるように設定されている。
【００３５】
ＡＥＤ本体１２は、内側空間部４０に収容されている。このため、ＡＥＤ本体１２の外側には、内壁３６と、外側空間部３８と、外壁３４と、が存在し、これらにより自然現象による浸食及び衝撃などの外力から保護されている。
【００３６】
外壁３４の外側空間部３８側には、断熱部４４が取り付けられている。断熱部４４は、例えば、既存の断熱材を利用することができる。これにより、箱体３２の内部の保温状態を維持することができる。また、断熱部４４を設けることにより箱体３２の内外での熱の移動が妨げられ、内側空間部４０の保温効果及び冷房効果を高めることができる。
【００３７】
内壁３６には、内側空間部４０の空気（熱を含む）を外壁３４の外部へ排気させるための排気部４６が設けられている。排気部４６は、図示しないが、例えば、プロペラと、プロペラを回転駆動するための駆動モータと、を有している。
【００３８】
なお、排気部４６の駆動は、コントローラ２８により制御される。また、排気部４６の駆動電力には、例えば、蓄電池３０Ａに蓄えられた電力が利用される。
【００３９】
内壁３６に排気部４６が設けられていることにより、内側空間部４０の空気を外壁３４から外部へ排気することができる。すなわち、外壁３４には貫通穴４８が形成されており、排気部４６が駆動すると、内側空間部４０の空気（熱を含む）が外側空間部３８に流れ、外側空間部３８の空気層に自然対流を発生させるとともに、最終的には外側の貫通穴４８を通って外部へ排出される。これにより、内側空間部４０の熱を箱体１２の外部へ排出することができ、内側空間部４０が高温になり過ぎることを防止して、ＡＥＤ本体１２を保護している。
【００４０】
なお、排気部４６は内壁３６に設けられている構成に限定されるものではない。例えば、排気部４６は、外壁３４、外側空間部３８、内側空間部４０のいずれかに設けられている構成でもよい。
【００４１】
内壁３６の内側空間部側には、発熱部５０が設けられている。発熱部５０は、例えば、ヒータが利用される。発熱部５０を設けたことにより、内側空間部４０の温度を所定の温度になるように保温制御することができる。これにより、内側空間部４０が低温になり過ぎることを防止できる。
【００４２】
発熱部５０の駆動は、コントローラ２８により制御される。また、発熱部５０の駆動電力には、例えば、蓄電池３０Ａに蓄えられた電力が利用される。
【００４３】
なお、発熱部５０は内壁３６に設けられている構成に限定されるものではない。例えば、発熱部５０は、外壁３４、外側空間部３８あるいは内側空間部４０のいずれかに設けられている構成でもよい。
【００４４】
電源部１４は、いわゆる蓄電部が採用される。蓄電部は、太陽光を受光する太陽光発電パネル３０Ｂと、太陽光発電パネル３０Ｂで受光した光エネルギを電気エネルギとして蓄電可能な蓄電池３０Ａと、で構成されている。
【００４５】
蓄電池３０Ａは、例えば、内側空間部４０とは別の位置に形成された収容空間部４２に配置されている。収容空間部４２は、箱体３２の内部であって内側空間部４０の下方に位置している。このため、内側空間部４０と収容空間部４２は、鉛直方向に並んで配置されている。収容空間部４２は、内側空間部４０と同様にして２重構造の内側に形成されている空間部となるように設定してもよい。
【００４６】
なお、蓄電池３０Ａは、ＡＥＤ本体１２と同様にして、内側空間部４０に収容されていてもよい。
【００４７】
太陽光発電パネル３０Ｂは、ポール部材２４の先端部近傍に取り付けられている。太陽光発電パネル３０Ｂは、太陽光を受光できるものであり、従来から周知のものが採用される。太陽光発電パネル３０Ｂの駆動電力には、例えば、蓄電池３０Ａに蓄えられた電力が利用される。
【００４８】
太陽光発電パネル３０Ｂでの太陽光の受光制御は、コントローラ２８により実行される。コントローラ２８により太陽光発電パネル３０Ｂで太陽光を受光するように設定することも、あるいは受光しないように設定することも可能である。
【００４９】
表示部１６は、例えば、液晶表示パネルが採用される。表示部１６での表示内容は、コントローラ２８により制御される。表示部１６の駆動電力には、例えば、蓄電池３０Ａに蓄えられた電力が利用される。
【００５０】
ここで、表示部１６は、例えば、三角柱形状に形成されていることが好ましい。表示部１６が三角柱形状に形成されていることにより、一平面当りの面積が大きくなるとともに、周囲（３６０℃）の角度から表示部１６が視認し易くなる。これにより、表示部１６で表示されることによる訴求効果を高めることができる。
【００５１】
表示部１６は、コントローラ２８により表示制御され、例えばスポンサー企業に関する情報、自然災害情報、自然風景、交通情報、国内外のニュース情報・スポーツ情報などを表示する。これにより、表示部１６での表示を通して、表示情報を広く周知させることができる。特に、重要な災害情報、政治情報、日本又は外国のニュースの他に、スポンサー企業の情報を周知させることも可能であり、スポンサー企業の宣伝効果を高めることも可能である。
【００５２】
防犯灯１８は、例えば、青色、赤色、白色などのＬＥＤ照明を用いた街路灯が利用される。防犯灯１８の駆動は、コントローラ２８により制御される。
【００５３】
なお、防犯灯１８の駆動電力には、例えば、蓄電池３０Ａに蓄えられた電力が利用される。
【００５４】
スピーカ２０は、所定の音声を出力することが可能である。スピーカ２０の音声出力は、コントローラ２８により制御可能に構成されている。スピーカ２０は、例えば、時刻情報やお知らせ情報等を音声出力することができ、緊急時には警告音等を出力することもできる。これにより、様々な情報や状況を周囲に報知することができる。
【００５５】
ここで、一例として、屋外用ＡＥＤ装置１０に設けられている各種センサの測定結果や屋外用ＡＥＤ装置１０で受信した情報に基づき、緊急性のある情報か否かがコントローラ２８により判断され、緊急性のある情報であると判断された場合にスピーカ２０から所定の音声あるいは警告音が出力される。
【００５６】
なお、スピーカ２０の駆動電力には、例えば、蓄電池３０Ａに蓄えられた電力が利用される。
【００５７】
支持台２２は、例えば、方形状又は円形状であり、設置面に対して所定の設置面積を有している。支持台２２は、強風を受けた場合でも、横転しないように設定されている。
【００５８】
ポール部材２４は、例えば、鉛直方向に延びる支柱である。ポール部材２４は、屋外用ＡＥＤ装置１０の各構成部材を装着しても耐えうる強度に設定されている。
【００５９】
第１実施形態に係る屋外用ＡＥＤ装置１０によれば、屋外に設置したため、屋外でＡＥＤを必要とする人が容易に利用することができる。
【００６０】
特に、電源部１４が太陽の光エネルギを電気エネルギに変換して蓄電可能な蓄蓄電部３０であることにより、自然現象を利用して電力を確保することが可能になる。これにより、屋外の電力設備がなくても、屋外用ＡＥＤ装置１０を安定的に使用することができる。
【００６１】
蓄電部３０は、太陽光を受光する太陽光発電パネル３０Ｂと、太陽光発電パネル３０Ｂで受光した光エネルギを電気エネルギとして蓄電可能な蓄電池３０Ａと、で構成することにより、既存のいわゆるソーラーシステムを利用することができる。このため、簡易な構成で蓄電部３０を実現することができる。
【００６２】
また、箱体３２がいわゆる２重構造で構成されており、ＡＥＤ本体１２が内側空間部４０に収容されていることにより、屋外で設置しても、自然災害や衝撃などからＡＥＤ本体１２を保護することができる。このため、ＡＥＤ本体１２の故障や破損のおそれを低減できる。
【００６３】
また、箱体３２の内壁３６に備えた排気部４６により、内側空間部４０の空気を外壁３４から箱体１２の外部へ排気させることができる。これにより、内側空間部４０の熱を箱体１２の外部へ放熱することができる。特に、排気部４６の駆動により外側空間部３８に自然対流が発生して放熱作用を促進させる。この結果、放熱効果を向上でき、ＡＥＤ本体１２が熱により作動しないことを防止できる。
【００６４】
また、箱体３２の内壁３６の内側空間部側に発熱部５０を備えたことにより、ＡＥＤ本体１２を保温することができる。これにより、特に冬場等においてＡＥＤ本体１２が低温により作動しないことを防止できる。
【００６５】
さらに、箱体３２の外壁３４の外側空間部側に断熱部４４を備えたことにより、その断熱効果により、箱体内部の温度を安定させることができる。
【００６６】
次に、本発明の第２実施形態に係る屋外用ＡＥＤ装置について、図面を参照して説明する。なお、第１実施形態の屋外用ＡＥＤ装置と重複する構成には同じ符号を付し、その説明を適宜省略する。
【００６７】
第２実施形態の屋外用ＡＥＤ装置１０は、内側空間部４０と収容空間部４２とが水平方向（鉛直方向に対して直交する方向）に並んで配置されている。
【００６８】
また、屋外用ＡＥＤ装置１０は、防犯カメラ５２を備えている。防犯カメラ５２は、従来から周知のものであり、例えば、ＣＣＤカメラ、赤外線カメラ等が適宜利用できる。
【００６９】
防犯カメラ５２の駆動は、コントローラ２８により制御される。防犯カメラ５２で撮影した画像データは、コントローラ２８のＲＯＭ２８Ｂに格納されるように構成されている。
【００７０】
なお、防犯カメラ５２の駆動電力には、例えば、蓄電池３０Ａに蓄えられた電力が利用される。
【００７１】
第２実施形態の屋外用ＡＥＤ装置１０によれば、内側空間部４０と収容空間部４２が水平方向に並んで配置されていることにより、装置全体の重心位置が低くなる。これにより、屋外用ＡＥＤ装置１０の設置した状態における安定度を高めることができる。
【００７２】
また、防犯カメラ５２を備えているため、防犯機能を高めることができる。特に、防犯カメラ５２が作動するときに、防犯灯１８が点灯するように制御することにより、防犯カメラ５２で撮影した映像が鮮明になる。
【００７３】
次に、本発明の第３実施形態に係る屋外用ＡＥＤ装置について、図面を参照して説明する。なお、第１実施形態の屋外用ＡＥＤ装置と重複する構成には同じ符号を付し、その説明を適宜省略する。
【００７４】
第３実施形態に係る屋外用ＡＥＤ装置１０は、図５及び図６に示すように、放射能測定部５４と、ＣＯ２測定部５６と、温度・湿度測定部５８と、多目的測定部６０と、を有している。これらは、例えばＡＥＤ本体１２側に設けられており、コントローラ２８により制御可能に構成されている。
【００７５】
放射能測定部５４は、放射能を測定するためのものであり、例えば、放射能検知センサが利用できる。放射能測定部５４による測定結果は、データとしてコントローラ２８のＲＯＭ２８Ｂに格納される。
【００７６】
ＣＯ２測定部５６は、ＣＯ２濃度を測定できるものであり、例えば、ＣＯ２検知センサが利用できる。ＣＯ２測定部５６による測定結果は、データとしてコントローラ２８のＲＯＭ２８Ｂに格納される。
【００７７】
温度・湿度測定部５８は、温度・湿度を測定できるものであり、例えば、温度・湿度検知センサが利用できる。温度・湿度測定部５８による測定結果は、データとしてコントローラ２８のＲＯＭ２８Ｂに格納される。
【００７８】
多目的測定部６０は、例えば、ＰＭ２．５に関する情報等の様々な情報を表示できるものであり、各情報を検知可能な各種センサが利用できる。多目的測定部６０による測定結果は、データとしてコントローラ２８のＲＯＭ２８Ｂに格納される。
【００７９】
また、第３実施形態に係る屋外用ＡＥＤ装置１０は、放射能測定表示部６２と、ＣＯ２測定表示部６４と、温度・湿度測定表示部６６と、多目的測定表示部６８と、を有している。これらの測定表示部は、例えば、いわゆる液晶表示パネルであり、表示部１６の近傍に設けられている。
【００８０】
コントローラ２８は、各測定部で測定された測定結果を各々対応する測定表示部において表示するように制御する。
【００８１】
具体的には、放射能測定表示部６２は、放射能測定部５４による測定結果を表示する。
【００８２】
ＣＯ２測定表示部６４は、ＣＯ２測定部５６による測定結果を表示する。
【００８３】
温度・湿度測定表示部６６は、温度・湿度測定部５８による測定結果を表示する。
【００８４】
多目的測定表示部６８は、多目的測定部６０による測定結果を表示する。
【００８５】
第３実施形態に係る屋外用ＡＥＤ装置１０によれば、放射能、ＣＯ２、温度・湿度測定部、ＰＭ２．５に関する情報を第三者に広く報知することができる。
【００８６】
なお、本発明の屋外用ＡＥＤ装置１０は、以下のような変形例も成立する。
【００８７】
第１変形例では、図７に示すように、屋外用ＡＥＤ装置１０は、無線発信部７０を備えている。無線発信部７０を通して、各測定部での測定結果に関する情報、ＡＥＤ本体１２に関する情報（例えば異常の有無）、体調不良者からの連絡情報などを発信することが可能である。無線発信部７０からの信号は、所定の受信管理センタに送信され、最適な対策が実行される。
【００８８】
第２変形例では、図８に示すように、屋外用ＡＥＤ装置１０は、蓄電池３０Ａ又は屋外の電力設備のいずれかを選択できる切替部７２を有し、手動又は遠方からの信号出力により切替部７２による電源の切替が可能な構成である。これにより、屋外用ＡＥＤ装置１０の電源として、蓄電部３０に替えて、電力会社等が保有する屋外の電力設備（インフラ）を利用することができる。
【００８９】
なお、本発明の範囲は、上記した各実施形態及び変形例に限定されるものではなく、同様の技術的思想を有しかつ細部を当業者が適宜設計変更した程度の内容も含むものである。
【符号の説明】
【００９０】
１０      屋外用ＡＥＤ装置
１２      ＡＥＤ本体
１４      電源部
１６      表示部
１８      防犯灯
２０      スピーカ
２２      支持台
２４      ポール部材
２６      ＡＥＤ
２８      コントローラ
２８Ａ    ＣＰＵ
２８Ｂ    ＲＯＭ
２８Ｃ    ＲＡＭ
３０      蓄電部
３０Ａ    蓄電池
３０Ｂ    太陽光発電パネル（パネル部）
３２      箱体
３４      外壁
３６      内壁
３８      外側空間部
４０      内側空間部
４２      収容空間部
４４      断熱部
４６      排気部
４８      貫通穴
５０      発熱部
５２      防犯カメラ
５４      放射能測定部
５６      ＣＯ２測定部
５８      温度・湿度測定部
６０      多目的測定部
６２      放射能測定表示部
６４      ＣＯ２測定表示部
６６      温度・湿度測定表示部
６８      多目的測定表示部
７０      無線発信部
７２      切替部
【図１】
2015123337.tif 000003
【図２】
2015123337.tif 000004
【図３】
2015123337.tif 000005
【図４】
2015123337.tif 000006
【図５】
2015123337.tif 000007
【図６】
2015123337.tif 000008
【図７】
2015123337.tif 000009
【図８】
2015123337.tif 000010